(57)【特許請求の範囲】
【請求項１】
色変換処理の複数の対象色の設定を含む処理設定を受け付け、該受け付けた対象色に関する色変換を画像処理装置に指示する色変換指示装置であって、
前記複数の対象色の指定を切り替える指定切替欄と、連続的に変化する色相が帯状に表示される色相表示部および該色相表示部上で両端を指定することにより囲まれる範囲を各対象色の色相範囲としてそれぞれ設定する複数の範囲設定部により構成される色相範囲設定欄と、前記各色相範囲のそれぞれに従属する従属項目を設定する従属項目設定欄とがレイアウトされた受付画面を表示する受付画面表示手段と、
前記指定切替欄の対象色の指定の切り替えに伴って、前記色相範囲設定欄の複数の範囲設定部のうち前記切り替えられた対象色に対応する範囲設定部を色相範囲の設定が可能となるようスライド可能とするアクティブ表示に切り替えて残りの範囲設定部を色相範囲の設定が不能となるようスライド不能とする非アクティブ表示に切り替えると共に前記従属項目設定欄のうち前記アクティブ表示に切り替えられた範囲設定部に対応する従属項目の設定が可能となるよう表示を切り替える表示切替手段と、
前記色相範囲設定欄における前記アクティブ表示に切り替えられた範囲設定部を用いた色相範囲の設定を受け付けると共に前記従属項目設定欄における従属項目の設定を前記受け付けた色相範囲の設定に従属させて受け付ける設定受付手段と
を備え、
前記受付画面は、前記帯状の色相表示部の長手方向に直交する方向の領域に前記指定切替欄と前記従属項目設定欄とがレイアウトされてなることを特徴とする
色変換指示装置。
【請求項２】
請求項１記載の色変換指示装置であって、
前記受付画面は、前記複数の範囲設定部として、前記色相範囲の両端位置を示す２本１組の境界線が前記色相表示部上に複数組レイアウトされ、
前記表示切替手段は、前記範囲設定部のアクティブ表示として、前記非アクティブ表示の範囲設定部により設定される他の色相範囲と重なる範囲を含めて前記色相表示部上の全範囲を前記２本１組の境界線の各々がスライド可能な表示に切り替える手段であり、
前記設定受付手段は、前記他の色相範囲と重なる範囲を含めて前記２本１組の境界線に挟まれる範囲を前記色相範囲として設定を受け付ける手段である
色変換指示装置。
【請求項３】
請求項２記載の色変換指示装置であって、
前記受付画面は、前記色相表示部がその両端が連続した色相となるよう形成され、
前記表示切替手段は、前記スライド可能な表示に切り替えられた２本１組の境界線のうち一方の境界線が前記色相表示部の一端を超えてスライドされた場合には、前記一方の境界線が他端側に表れるよう表示を切り替える手段であり、
前記設定受付手段は、前記他端から前記一方の境界線までの範囲と前記一端から他方の境界線までの範囲とを前記色相範囲として設定を受け付ける手段である
色変換指示装置。
【請求項４】
請求項１ないし３いずれか１項に記載の色変換指示装置であって、
前記受付画面は、前記従属項目設定欄が前記各色相範囲のそれぞれの設定に共用される欄としてレイアウトされ、
前記設定受付手段は、前記共用される従属項目設定欄を用いて設定された従属項目を前記アクティブ表示に切り替えられた範囲設定部により設定される色相範囲に従属する項目として受け付ける手段である
色変換指示装置。
【請求項５】
カラー画像を構成する画素の階調値から色相と明度とを取得し該取得した色相が前記設定される対象色の色相範囲に該当する画素を処理対象画素として前記取得した明度を用いた色変換処理を行なう画像処理装置に対して、前記対象色に関する色変換を指示する請求項１ないし４いずれか１項に記載の色変換指示装置であって、
前記受付画面は、前記従属項目設定欄として、前記各色相範囲毎に前記処理対象画素とされる画素の明度を調整可能な項目がレイアウトされてなる
色変換指示装置。
【請求項６】
カラー画像から前記対象色をドロップアウトする処理を前記色変換処理として行なう画像処理装置に対して、前記対象色に関する色変換を指示する請求項１ないし５いずれか１項に記載の色変換指示装置。
【請求項７】
コンピューターを、請求項１ないし６いずれか１項に記載の色変換指示装置として機能させるためのプログラム。
【発明の詳細な説明】
【技術分野】
【０００１】
本発明は、色変換処理の複数の対象色の設定を含む処理設定を受け付け、該受け付けた対象色に関する色変換を画像処理装置に指示する色変換指示装置およびプログラムに関する。
【背景技術】
【０００２】
従来より、この種の色変換指示装置としては、カラー画像中の所定の色を除去するドロップアウト処理が可能な画像処理装置に対して処理の対象色を指示するものが提案されている（例えば、特許文献１参照）。この装置では、色空間を複数の色空間領域に分割して各色空間領域の代表色をカラーパレットとして並べて受付画面に表示する。そして、受付画面上でカラーパレットから代表色が指定されると、指定された代表色の色空間領域に含まれる色をドロップアウト処理の対象色として画像処理装置に指示するものとしている。
【先行技術文献】
【特許文献】
【０００３】
【特許文献１】特開２００６−３３９８７４号公報
【発明の概要】
【発明が解決しようとする課題】
【０００４】
上述した装置は、カラーパレットから１つの代表色の選択を受け付けて指示するものであるため、複数の色をドロップアウト処理の対象色として受け付けて一度に指示することはできない。このため、対象色として複数の色を画像処理装置に指示する場合には、１つの対象色の指定を受け付けて指示を出力した後に、受付画面を介して再び次の対象色の指定を受け付ける必要があり、ユーザーの操作が煩雑なものとなってしまう。一方で、複数の対象色の指定を受け付けるためにカラーパレットを複数並べて表示することも考えられるが、受付画面が大型化してしまう。
【０００５】
本発明の色変換指示装置およびプログラムは、受付画面の大型化を防止しつつ色変換処理における複数の対象色の設定を操作性よく受け付けることを主目的とする。
【課題を解決するための手段】
【０００６】
本発明の色変換指示装置およびプログラムは、上述の主目的を達成するために以下の手段を採った。
【０００７】
本発明の色変換指示装置は、
色変換処理の複数の対象色の設定を含む処理設定を受け付け、該受け付けた対象色に関する色変換を画像処理装置に指示する色変換指示装置であって、
前記複数の対象色の指定を切り替える指定切替欄と、連続的に変化する色相が帯状に表示される色相表示部および前記複数の対象色の各色相範囲を設定する複数の範囲設定部により構成される色相範囲設定欄と、前記各色相範囲のそれぞれに従属する従属項目を設定する従属項目設定欄とがレイアウトされた受付画面を表示する受付画面表示手段と、
前記指定切替欄の対象色の指定の切り替えに伴って、前記色相範囲設定欄の複数の範囲設定部のうち前記切り替えられた対象色に対応する範囲設定部を色相範囲の設定が可能となるようアクティブ表示に切り替えて残りの範囲設定部を色相範囲の設定が不能となるよう前記アクティブ表示とは異なる表示に切り替えると共に前記従属項目設定欄のうち前記アクティブ表示に切り替えられた範囲設定部に対応する従属項目の設定が可能となるよう表示を切り替える表示切替手段と、
前記色相範囲設定欄における前記アクティブ表示に切り替えられた範囲設定部を用いた色相範囲の設定を受け付けると共に前記従属項目設定欄における従属項目の設定を前記受け付けた色相範囲の設定に従属させて受け付ける設定受付手段と
を備え、
前記受付画面は、前記帯状の色相表示部の長手方向に直交する方向の領域に前記指定切替欄と前記従属項目設定欄とがレイアウトされてなることを特徴とする。
【０００８】
この本発明の色変換指示装置では、受付画面には、連続的に変化する色相が帯状に表示される色相表示部および複数の対象色の各色相範囲を設定する複数の範囲設定部により構成される色相範囲設定欄がレイアウトされ、また、複数の対象色の指定を切り替える指定切替欄と各色相範囲のそれぞれに従属する従属項目を設定する従属項目設定欄とが色相表示部の長手方向に直交する方向の領域にレイアウトされている。そして、指定切替欄の対象色の指定の切り替えに伴って、色相範囲設定欄の複数の範囲設定部のうち切り替えられた対象色に対応する範囲設定部を色相範囲の設定が可能となるようアクティブ表示に切り替えて残りの範囲設定部を色相範囲の設定が不能となるようアクティブ表示とは異なる表示に切り替えて、色相範囲の設定を受け付ける。また、従属項目設定欄のうちアクティブ表示に切り替えられた範囲設定部に対応する従属項目の設定が可能となるよう表示を切り替えて、受け付けた色相範囲の設定に従属させて従属項目の設定を受け付ける。これにより、複数の対象色の色相範囲の設定と各色相範囲に従属する従属項目の設定とを１つの受付画面を介して受け付けることができる。また、色相が帯状に表示された色相表示部を用いるから、色相がパレット状に表示されるものや色相が環状に表示される色相環を用いるものに比して、複数の対象色を指定する場合の必要なスペースを小さくすることができ、受付画面が大型化するのを防止することができる。この結果、受付画面の大型化を防止しつつ色変換処理の複数の対象色の設定を操作性よく受け付けることができる。ここで、色変換処理としては、カラー画像から対象色を除去するドロップアウト処理や、ドロップアウト処理とは逆に対象色を強調する色強調処理などが挙げられる。
【０００９】
こうした本発明の色変換指示装置において、前記受付画面は、前記複数の範囲設定部毎に前記色相範囲の両端位置を示す２本１組の境界線が前記色相表示部上にレイアウトされ、前記表示切替手段は、前記範囲設定部のアクティブ表示として、前記アクティブ表示とは異なる表示の範囲設定部により設定される他の色相範囲と重なる範囲を含めて前記色相表示部上の全範囲を前記２本１組の境界線の各々がスライド可能な表示に切り替える手段であり、前記設定受付手段は、前記他の色相範囲と重なる範囲を含めて前記２本１組の境界線に挟まれる範囲を前記色相範囲として設定を受け付ける手段であるものとすることもできる。こうすれば、色相範囲の重複を許容して対象色の指定を受け付けることができるから、重複した色相範囲においてそれぞれ別個の従属項目を設定することができる。この態様の本発明の色変換指示装置において、前記受付画面は、前記色相表示部がその両端が連続した色相となるよう形成され、前記表示切替手段は、前記スライド可能な表示に切り替えられた２本１組の境界線のうち一方の境界線が前記色相表示部の一端を超えてスライドされた場合には、前記一方の境界線が他端側に表れるよう表示を切り替える手段であり、前記設定受付手段は、前記他端から前記一方の境界線までの範囲と前記一端から他方の境界線までの範囲とを前記色相範囲として設定を受け付ける手段であるものとすることもできる。こうすれば、省スペース化を目的として帯状の色相表示部を用いた場合であっても、両端で色相の連続性が途切れることがないから、操作性が損なわれることはない。
【００１０】
また、本発明の色変換指示装置において、前記受付画面は、前記従属項目設定欄が前記各色相範囲のそれぞれの設定に共用される欄としてレイアウトされ、前記設定受付手段は、前記共用される従属項目設定欄を用いて設定された従属項目を前記アクティブ表示に切り替えられた範囲設定部により設定される色相範囲に従属する項目として受け付ける手段であるものとすることもできる。こうすれば、従属項目設定欄に必要とされるスペースを少なくすることができるから、受付画面の大型化をさらに防止することができる。
【００１１】
そして、カラー画像を構成する画素の階調値から色相と明度とを取得し該取得した色相が前記設定される対象色の色相範囲に該当する画素を処理対象画素として前記取得した明度を用いた色変換処理を行なう画像処理装置に対して、前記対象色に関する色変換を指示する上述したいずれかの態様の本発明の色変換指示装置であって、前記受付画面は、前記従属項目設定欄として、前記各色相範囲毎に前記処理対象画素とされる画素の明度を調整可能な項目がレイアウトされてなるものとすることもできる。ここで、このような明度の調整としては、感度の調整が挙げられる。
【００１２】
本発明のプログラムは、コンピューターを上述したいずれかの本発明の色変換指示装置として機能させるためのものである。このプログラムは、コンピューターが読み取り可能な記録媒体（例えばハードディスク、ＲＯＭ、ＦＤ、ＣＤ、ＤＶＤなど）に記録されていてもよいし、伝送媒体（インターネットやＬＡＮなどの通信網）を介してあるコンピューターから別のコンピューターへ配信されてもよいし、その他どのような形で授受されてもよい。このプログラムをコンピューターに実行させれば、上述した色変換指示装置と同様の効果を得ることができる。
【図面の簡単な説明】
【００１３】
【図１】スキャンシステム１０の構成の概略を示す構成図。
【図２】画質調整画面４０の一例を示す説明図。
【図３】ドロップアウト色設定画面６０の一例を示す説明図。
【図４】複数の対象色の色相範囲を設定する様子を示す説明図。
【図５】ドロップアウト処理ルーチンの一例を示すフローチャート。
【図６】対象画素の設定処理の一例を示すフローチャート。
【図７】ドロップアウト用色変換処理の一例を示すフローチャート。
【図８】明度変換処理に用いる変換曲線Ｌ１，Ｌ２を示す説明図。
【図９】色変換用の基準係数ｄ１，ｄ２，ｄ３の一例を示す説明図。
【発明を実施するための形態】
【００１４】
次に、本発明の実施の形態を図面に基づいて説明する。図１は、本発明の一実施形態であるスキャンシステム１０の構成の概略を示す構成図である。本実施形態のスキャンシステム１０は、ユーザーコンピューター（ユーザーＰＣ）２０と、ユーザーＰＣ２０にＵＳＢケーブル１２を介して接続されるプリンター３０とにより構成されている。
【００１５】
ユーザーＰＣ２０は、各種制御を実行するＣＰＵ２２や各種制御プログラムを記憶するＲＯＭ２３，データを一時的に記憶するＲＡＭ２４などを備えたコントローラー２１と、各種アプリケーションプログラムや各種ドライバー，データファイルなどを記憶するハードディスクドライブ（ＨＤＤ）２５と、キーボードやマウスなどの操作部２６と、ディスプレイとしての表示部２７とを備え、これらがバス２９を介して電気的に接続された汎用のパーソナルコンピューターである。このユーザーＰＣ２０のＨＤＤ２５には、ユーザーＰＣ２０とプリンター３０との間で印刷データやスキャンデータなどのデータの送受信や印刷処理やスキャン処理に関する各種設定を行なうために用いられるドライバー（プリンタードライバーおよびスキャナードライバー）２５ａが記憶されている。このドライバー２５ａは、スキャン処理する際に、ある特定の色を除去するいわゆるドロップアウト処理を行なうドロップアウト機能と、ドロップアウト処理とは逆にある特定の色を強調するいわゆる色強調処理を行なう色強調機能とを有している。
【００１６】
プリンター３０は、装置全体の制御を司るコントローラー３１と、着色剤としてインクを用紙Ｓに吐出することにより印刷を行なう印刷機構３２と、図示しない原稿台に載置された原稿を光学的に読み取って画像データを生成するスキャナー機構３３とを備え、これらが図示しないバスを介して電気的に接続されているマルチファンクションプリンターである。なお、印刷機構３２は、図示しない印刷ヘッドから用紙ＳへＣ（シアン），マゼンタ（Ｍ），イエロー（Ｙ），ブラック（Ｂ）の各色のインクを吐出することにより印刷を行なう周知のインクジェット方式のカラープリンター機構として構成されている。また、スキャナー機構３３は、周知のイメージスキャナーとして構成され、原稿に向かって発光したあとの反射光をレッド（Ｒ），グリーン（Ｇ），ブルー（Ｂ）の各色に分解したＲＧＢデータをスキャン画像とする周知のカラーイメージセンサーを備える。なお、ＲＧＢデータは、縦横のマトリックス状に画素が配置され、配置される画素の各値は濃淡に応じて値０〜２５５の２５６階調（８ビット）で表されるものとする。
【００１７】
次に、こうして構成された本実施形態のスキャンシステム１０の動作、特に、ドロップアウト処理を伴ってスキャン処理する際の動作について説明する。ユーザーの操作部２６の操作によりスキャン処理が選択されると、ユーザーＰＣ２０のＣＰＵ２２は、ＨＤＤ２５からドライバー２５ａを読み出して、メイン画面を表示部２７に表示させ、そのメイン画面から「ドロップアウト／色強調」タブが選択されると、画質調整画面４０に切り替える。図２は、画質調整画面４０の一例を示す説明図である。なお、本実施形態では、「ドロップアウト／色強調」タブの選択により画質調整画面４０に切り替えるものとしたが、メイン画面に画質調整画面４０が含まれる画面構成としても構わない。以下、この画質調整画面４０について説明する。
【００１８】
この画質調整画面４０は、スキャン処理した画像データの出力を設定する出力設定欄４１と、画像データの画質を調整する画質調整欄４５と、各種ボタンからなるボタン群５０とにより構成されている。出力設定欄４１には、カラーかグレー，モノクロのいずれの画像を出力するかを選択的に設定可能なラジオボタン４２ａ〜４２ｃと、プルダウン形式で出力画像の解像度を設定可能なリストボックス４３とがレイアウトされている。この出力設定欄４１における設定は、ＣＰＵ２２によりＲＡＭ２４に登録される。また、画質調整欄４５には、ドロップアウト処理か色強調処理のいずれを行なうかを選択的に設定可能なラジオボタン４６ａ，４６ｂと、プルダウン形式でドロップアウト処理の対象色を設定可能なリストボックス４７ａと、プルダウン形式で色強調処理の対象色を設定可能なリストボックス４７ｂと、出力画像の明るさの調整が可能でその調整値が数値ボックス４８ａに表示される明るさ用スライドバー４８と、出力画像のコントラストの調整が可能でその調整値が数値ボックス４９ａに表示されるコントラスト用スライドバー４９とがレイアウトされている。なお、明るさ用スライドバー４８やコントラスト用スライドバー４９では、数値ボックス４８ａ，４９ａに数値を入力することによっても設定が可能となっている。そして、ボタン群５０には、スキャン画像をプレビュー表示させるためのプレビューボタン５１と、本スキャンを行なうための本スキャンボタン５２と、ヘルプ画面を読み出すためのヘルプボタン５３と、各種環境設定を行なうための環境設定ボタン５４と、処理を終了するための閉じるボタン５５とがレイアウトされている。
【００１９】
ここで、ドロップアウト処理や色強調処理の対象色を設定するリストボックス４７ａ，４７ｂでは、対象色として赤、青、緑などの既定の色やユーザーがカスタマイズ可能な「ユーザー設定」色を選択することができる。ドロップアウト処理の対象色を設定するリストボックス４７ａにおいて「ユーザー設定」が選択されると、ＣＰＵ２２は、ドロップアウト色設定画面６０を読み出して表示部２７に表示させる。ここで、図３は、ドロップアウト色設定画面６０の一例を示す説明図である。以下、このドロップアウト色設定画面６０について説明する。なお、ドロップアウト色設定画面６０を読み出す際に画像のプレスキャンが行なわれていなければ、ＣＰＵ２２はプリンター３０のスキャナー機構３３にスキャン指示を出力してプレスキャンを行なう。また、色強調処理の対象色を設定するリストボックス４７ｂにおいて「ユーザー設定」が選択された場合には色強調色設定画面が表示されるが、ドロップアウト色設定画面６０と同様な画面であるため、その図示および説明は省略する。
【００２０】
このドロップアウト色設定画面６０は、登録済みの色設定を呼び出したり新たな色設定を登録したりする設定登録欄６１と、ドロップアウト処理の対象となる複数の対象色の指定を切り替えたり各対象色について色相範囲を調整したり調整された色相範囲に対して感度や強度を調整したりする調整欄６５と、処理対象の画像から対象色を抽出するための抽出欄７５と、各種ボタンからなるボタン群８０とにより構成されている。
【００２１】
設定登録欄６１には、プルダウン形式で登録済みの色設定を選択可能なリストボックス６２と、現在の色設定を登録するための保存ボタン６３と、リストボックス６２のプルダウンメニューから登録済みの色設定を削除するための削除ボタン６４とがレイアウトされている。この設定登録欄６１では、ユーザーの操作部２６の操作により設定名が入力され保存ボタン６３が押下（クリック）されると、ＣＰＵ２２は、そのときの調整欄６５の設定内容をＨＤＤ２５の所定領域に記憶して、以降はリストボックス６２のプルダウンメニューからの読み出しを可能とする。また、調整欄６５には、指定色番号（本実施形態では、値１〜５）に対応して対象色の指定を切替可能なラジオボタン６５ａ〜６５ｅと、新たな対象色を指定するための追加ボタン６６と、指定された対象色の設定を削除するための削除ボタン６７と、０°から３６０°までの色相が連続的に表示されると共に両端部における色相が連続する帯状の色相バー６８と、色相バー６８に重ねて表示され両端を示す２本の境界線により囲まれる範囲を対象色の色相範囲として設定可能なスライダー６９と、スライダー６９の左端の境界線の位置が表示される数値ボックス７０ａと、スライダー６９の右端の境界線の位置が表示される数値ボックス７０ｂと、感度の調整が可能であってその調整値が数値ボックス７１ａに表示される感度用スライドバー７１と、強度の調整が可能であってその調整値が数値ボックス７２ａに表示される強度用スライドバー７２と、各種設定をリセットするリセットボタン７３とがレイアウトされている。なお、スライダー６９は、２本の境界線をそれぞれスライドさせることにより色相範囲の設定が可能で、数値ボックス７０ａ，７０ｂに数値を入力することによっても設定が可能となっている。また、感度用スライドバー７１や強度用スライドバー７２も同様に数値ボックス７１ａ，７２ａに数値を入力することによっても設定が可能となっている。そして、抽出欄７５には、プレスキャンされた画像をプレビュー画像Ｐとして表示するためのプレビュー領域７６と、プレビュー領域７６に表示されたプレビュー画像Ｐから所望の色を抽出（選択）するためのスポイトを模した抽出アイコン７７と、抽出アイコン７７による抽出位置７８ａが拡大表示された拡大表示領域７８とがレイアウトされている。そして、ボタン群８０には、チェックを入れることによりプレビュー画像Ｐのプレビュー領域７６への表示を指示可能なチェックボックス８１と、ヘルプ画面を読み出すためのヘルプボタン８２と、ドロップアウト色設定画面６０を閉じるための閉じるボタン８３とがレイアウトされている。
【００２２】
ここで、ユーザーの操作部２６の操作により追加ボタン６６が押下されると、ＣＰＵ２２は、ラジオボタン６５ａ〜６５ｅのうち未登録のラジオボタンに切り替える。そして、抽出アイコン７７が操作されてプレビュー画像Ｐからユーザーがドロップアウトを所望する色が選択されると、その色に対応する範囲のスライダー６９を新たに色相バー６８上に表示する。ここで、抽出アイコン７７により選択される色に対応する範囲は、抽出位置７８ａに含まれる画素のＲＧＢデータから色相を取得してそのヒストグラムを作成し、作成したヒストグラムにおける色相のピーク値を中心とする所定範囲などに設定することができる。なお、ＲＧＢデータから色相の取得については後述する。このように、本実施形態では、プレビュー画像Ｐからユーザーによる色の選択を受けてスライダー６９が色相バー６８上に表示されるから、カラーパレットなどから単に色を選択するものに比してより所望の色に近い対象色を選択することができる。本実施形態では、ドロップアウト処理の対象色として、指定色番号１〜５の最大５色が設定可能となっており、ラジオボタン６５ａ〜６５ｅの切り替えに伴って指定色番号１〜５の各対象色に対応する色相範囲をスライダー６９を用いて設定できるようになっている。なお、本実施形態では、最大５色を設定可能としているが、６色以上を設定可能としても構わない。以下、この複数の対象色の色相範囲の設定について説明する。図４は、複数の対象色の色相範囲を設定する様子を示す説明図である。なお、図４では、ラジオボタン６５ａ〜６５ｃを用いて指定色番号１〜３の３つの色が設定される様子を示し、指定色番号１〜３に対応する色相の範囲をそれぞれ色相範囲ＨＲ１〜ＨＲ３とする。
【００２３】
まず、図４（ａ）に示すように、指定色番号１に対応するラジオボタン６５ａが選択されている場合には、ＣＰＵ２２により指定色番号１に対応するスライダー６９ａが図中実線で示すアクティブ表示とされる。このため、スライダー６９ａの両端の境界線をユーザーの操作部２６の操作によりスライドさせて指定色番号１の色相範囲ＨＲ１が設定可能となる。また、数値ボックス７０ａ，７０ｂには、スライダー６９ａの両端の境界線に対応する数値がそれぞれ表示される。一方、指定色番号２，３に対応するラジオボタン６５ｂ，６５ｃは非選択とされるため、指定色番号２，３に対応するスライダー６９ｂ，６９ｃが図中点線で示す非アクティブ表示とされる。このため、スライダー６９ｂ，６９ｃの両端の境界線がスライド不能となり、色相範囲ＨＲ２や色相範囲ＨＲ３の設定が不能となる。ここで、アクティブ表示されたスライダー６９ａは、他の色相範囲ＨＲ２，ＨＲ３を含めて色相バー６８上の全ての範囲をスライド可能となっている。
【００２４】
次に、図４（ｂ）に示すように、図４（ａ）の状態からスライダー６９ａの図中右端の境界線がスライドされると、色相範囲ＨＲ１が右方向に拡大されると共に数値ボックス７０ｂの値が変化する。このとき、拡大された色相範囲ＨＲ１は色相範囲ＨＲ２と重複したものとなっている。本実施形態では、このように色相範囲ＨＲが互いに重複するのを許容しており、ＣＰＵ２２は、他の色相範囲と重複する範囲を含む範囲を指定色番号１の色相範囲ＨＲ１として受け付けてＲＡＭ２４に登録する。なお、本実施形態では、色相範囲ＨＲは、各スライダー６９の両端の境界線で指定される範囲をそのまま受け付けて登録するものとした。また、図４では図示は省略したが、感度用スライドバー７１による感度の調整や強度用スライドバー７２による強度の調整がなされていれば、ＣＰＵ２２は、それぞれ感度パラメーターＴｓ，強度パラメータＴｄとして受け付けて色相範囲ＨＲ１に従属させて登録する。なお、それらの調整がなされていない場合には、各パラメーターにはデフォルト値が登録される。
【００２５】
そして、図４（ｃ）に示すように、ラジオボタン６５ａから指定色番号３に対応するラジオボタン６５ｃに選択が切り替えられると、ＣＰＵ２２によりスライダー６９ａがアクティブ表示から非アクティブ表示に切り替えられると共に指定色番号３に対応するスライダー６９ｃが非アクティブ表示からアクティブ表示に切り替えられる。なお、スライダー６９ｂは非アクティブ表示のままとされる。また、数値ボックス７０ａ，７０ｂは、それぞれスライダー６９ｃの両端の境界線に対応する数値の表示に切り替えられる。これにより、スライダー６９ｃによる指定色番号３の色相範囲ＨＲ３の設定が可能となり、感度や強度の調整がなされていれば、感度パラメーターＴｓ，強度パラメータＴｄを色相範囲ＨＲ３に従属させて登録する。このように、各スライダー６９ａ〜６９ｃにより設定された各色相範囲ＨＲ１〜ＨＲ３を登録することができると共に感度パラメーターＴｓ，強度パラメータＴｄを各色相範囲ＨＲ１〜ＨＲ３にそれぞれに従属させて登録することができる。このような複数の色相範囲の設定を、帯状の色相バー６８とそれに重ねて表示されるスライダー６９とを用いて行なうものとしている。また、調整欄６５には、帯状の色相バー６８の長手方向に直交する方向の領域に、ラジオボタン６５ａ〜６５ｅや感度用スライドバー７１，強度用スライドバー７２をレイアウトするものとしている。これらのことから、複数の対象色を指定可能な場合であっても、色相が環状に表示される色相環や色相がパレット状に表示されるものを用いる場合に比して効率のよいレイアウトを可能として、調整欄６５の省スペース化を図ることができる。また、感度と強度の調整においては、感度用スライドバー７１と強度用スライドバー７２とを各色相範囲に共用するものとしたから、調整欄６５の更なる省スペース化を図ることができる。したがって、ドロップアウト色設定画面６０が大型化するのを防止することができる。また、各色相範囲ＨＲ１〜ＨＲ３の重複を許容するから、重複する色相範囲ＨＲにおいて感度パラメーターＴｓや強度パラメータＴｄに異なる値を設定することもできる。
【００２６】
さらに、アクティブ表示とされたスライダー６９ｃにおいて図中右端の境界線が色相バー６８の右端を超えてスライドされると、図４（ｄ）に示すように、ＣＰＵ２２は、右端の境界線（図４（ｄ）中、（Ｒ）と表示）を色相バー６８の左端側に表示する。ここで、上述したように、色相バー６８は両端の色相が連続したものとなっている。このため、図４（ｄ）に示す場合には、ＣＰＵ２２は、スライダー６９ｃの左端の境界線（図４（ｄ）中、（Ｌ）と表示）と色相バー６８の右端までの範囲と、スライダー６９ｃの右端の境界線と色相バー６８の左端までの範囲とを合わせた色相範囲ＨＲ３を、色相が連続した範囲として受け付けることができる。このように、色相バー６８として帯状のバーを用いた場合であっても、色相バー６８の両端で色相の連続性が途切れるものではないから操作性よく色相範囲ＨＲを設定することができる。
【００２７】
こうして、ドロップアウト処理の対象色の設定を受け付けて閉じるボタン８３が押下されると、ＣＰＵ２２はドロップアウト色設定画面６０を閉じる。そして、画質調整画面４０において、本スキャンボタン５２が押下されると、ドロップアウト処理が開始される。この処理は、ＣＰＵ２２によりドロップアウト処理ルーチンが読み出されて実行される。図５は、ドロップアウト処理ルーチンの一例を示す説明図である。なお、本実施形態では、画質調整画面４０の出力設定欄４１において、出力画像としてグレーやモノクロが設定された場合について説明する。
【００２８】
このルーチンが開始されると、ＣＰＵ２２は、まず、画像データ（ＲＧＢデータ）を入力する（ステップＳ１００）。ここでは、本スキャンボタン５２の押下に伴って、プリンター３０のスキャナー機構３３へスキャン指示が出力されており、そのスキャン指示を受けて駆動したスキャナー機構３３によりスキャンされた画像データを入力するものとした。なお、プレスキャンした画像データを入力するものなどとしてもよい。画像データを入力すると、ドロップアウト処理の対象となるドロップアウト対象画素を設定する（ステップＳ１１０）。この処理は、図６に示す対象画素の設定処理により行なわれる。ここで、ドロップアウト処理ルーチンの説明を中断して、対象画素の設定処理について説明する。
【００２９】
この対象画素の設定処理では、まず、判定画素を選定し（ステップＳ３００）、選定した判定画素のＲＧＢ値を入力する（ステップＳ３１０）。ここで、判定画素の選定は、画像データを構成する画素のうち左上の画素から順に右方向に選定し、右方向に未選定の画素がなくなると一段下の左端の画素から順に右方向に選定することにより行なわれる。次に、入力したＲＧＢ値に対し色空間の変換処理を行なって色相Ｈを取得する（ステップＳ３２０）。ここで、ＲＧＢ値から色相Ｈの取得は、次式（１）〜（３）によりＲＧＢ表色系の階調値をＹＣｂＣｒ表色系に変換し、変換したＹＣｂＣｒ表色系を次式（４）〜（６）によりＬＣＨ表色系に変換することにより行なうことができる。なお、上述したように、ドロップアウト色設定画面６０の抽出アイコン７７により色が選択された際に抽出位置７８ａに含まれる画素のＲＧＢデータから色相を取得する場合も、これらの式（１）〜（６）により行なうことができる。
【００３０】
Y＝0.2990×R＋0.5870×G＋0.1140×B  (1)
Cb＝−0.1687×R−0.3313×G＋0.5000×B  (2)
Cr＝0.500×R−0.4187×G−0.0813×B  (3)
H＝180／π×tan（Cb／Cr）  (4)
C＝（Cr^2＋Cb^2）^（１／2）  (5)
L＝Y  (6)
【００３１】
こうして判定画素の色相Ｈを取得すると、変数ｎに値１をセットして（ステップＳ３３０）、指定色番号ｎの色相範囲ＨＲｎを読み込む（ステップＳ３４０）。ここで、番号ｎは、ドロップアウト色設定画面６０における指定色番号に対応するものであり、本実施形態では値１〜５までの数となる。そして、取得した色相Ｈが読み込んだ色相範囲ＨＲｎの範囲内にあるか否かを判定して（ステップＳ３５０）、範囲内にあると判定した場合には、指定色番号ｎのドロップアウト対象画素に設定する（ステップＳ３６０）。一方、取得した色相Ｈが色相範囲ＨＲｎの範囲内にないと判定した場合には、変数ｎを値１だけインクリメントして（ステップＳ３７０）、変数ｎが最大値ｎｍａｘ（値５）を超えたか否かを判定する（ステップＳ３８０）。ステップＳ３８０で変数ｎが最大値ｎｍａｘを超えていないと判定した場合には、再びステップＳ３４０に戻って新たな指定色番号ｎの色相範囲ＨＲｎを読み込んで、続くステップＳ３５０で色相Ｈが新たに読み込んだ色相範囲ＨＲｎの範囲内にあるか否かを判定する。こうしたステップＳ３４０〜Ｓ３８０の処理を繰り返し行なって、ステップＳ３８０で変数ｎが最大値ｎｍａｘを超えたと判定した場合には、選定された判定画素を非対象画素に設定する（ステップＳ３９０）。
【００３２】
こうして判定画素をドロップアウト対象画素か非対象画素かのいずれかに設定すると、未判定の画素があるか否かを判定し（ステップＳ４００）、未判定の画素があればステップＳ３００に戻り処理を繰り返す。一方、未判定の画素がなければ本処理を終了する。なお、ＣＰＵ２２は、各画素についてドロップアウト対象画素か非対象画素かの設定と共に色空間の変換処理により得られたＬＣＨ表色系の各値をＲＡＭ２４に登録する。
【００３３】
ドロップアウト処理ルーチンに戻って、こうしてドロップアウト対象画素を設定すると、処理画素を選定し（ステップＳ１２０）、選定した処理画素がドロップアウト対象であるか否かを判定する（ステップＳ１３０）。ここで、処理画素の選定は、上述した判定画素の選定と同様に左上の画素から順に選定するものとした。また、ドロップアウト対象であるか否かの判定は、ドロップアウト対象画素か非対象画素かのいずれに設定されているかを判定することにより行なうものとした。ステップＳ１３０で処理画素がドロップアウト対象であると判定した場合には、ドロップアウト用色変換処理を行なってＲＧＢ値をＲ”Ｇ”Ｂ”値に変換し（ステップＳ１４０）、上述した式（１）のＲＧＢ値に変換したＲ”Ｇ”Ｂ”値をそれぞれ代入してグレースケール化処理を行なう（ステップＳ１５０）。なお、Ｒ”Ｇ”Ｂ”への変換を行なうドロップアウト用色変換処理の詳細については後述する。
【００３４】
一方、ステップＳ１３０で処理画素がドロップアウト対象画素でない即ち非対象画素であると判定した場合には、ステップＳ１５０で上述した式（１）により処理画素のＲＧＢ値をそのまま用いてグレースケール化処理を行なう。こうしてステップＳ１５０でグレースケール化処理を行なうと、未処理画素があるか否かを判定し（ステップＳ１６０）、未処理画素があればステップＳ１２０に戻り処理を繰り返す。一方、ステップＳ１６０で未処理画素がなければ、出力画像としてモノクロかグレーかのいずれが設定されているかを判定する（ステップＳ１７０）。ステップＳ１７０でモノクロが設定されていると判定すれば、グレースケール化した各画素の階調値を２値化処理して（ステップＳ１８０）、２値画像を出力して（ステップＳ１９０）、本ルーチンを終了する。一方、ステップＳ１７０でグレーが設定されていれば、グレースケール画像を出力して（ステップＳ２００）、本ルーチンを終了する。以下、ドロップアウト用色変換処理の詳細について説明する。図７は、ドロップアウト用色変換処理の一例を示すフローチャートである。
【００３５】
このドロップアウト用色変換処理では、まず、処理画素のＬＣＨ表色系の各値を読み込んで（ステップＳ５００）、色相範囲ＨＲｎに対応付けて登録された感度パラメータＴｓを読み込む（ステップＳ５１０）。次に、読み込んだ感度パラメータＴｓに応じて変換曲線Ｌ１，Ｌ２の交点Ｑの位置を変更して交点Ｑの位置が変更された変換曲線Ｌ１，Ｌ２を用いて明度Ｌの明度変換処理を行なう（ステップＳ５２０）。ここで、図８は、明度変換処理に用いる変換曲線Ｌ１，Ｌ２を示す説明図である。図８（ａ）に示すように、入力の明度Ｌを横軸にとり出力の明度Ｌ’を縦軸にとり、高明度側の明度Ｌを明度Ｌ’に変換するための変換曲線Ｌ１と低明度側の明度Ｌを明度Ｌ’に変換するための変換曲線Ｌ２との交点を交点Ｑと称する。また、この交点Ｑは、感度パラメータＴｓの値に応じて図中左右方向に平行移動させることができる。即ち、交点Ｑの位置を座標（ＴＩｎ，Ｋ（Ｋは定数））で表すと、ＴＩｎの値を感度パラメータＴｓによって調整できるものとなっている。より具体的には、図８（ｂ）に示すように、感度パラメータＴｓを高くするほどＴＩｎの値が小さくなり交点Ｑが図中左方向に移動する（例えば、交点Ｑ’）。この場合には、変換曲線Ｌ１’により特に低明度側の明度Ｌがより高い明度Ｌ’に変換されることになる。一方、感度パラメータＴｓを低くするほどＴＩｎの値が大きくなり交点Ｑが図中右方向に移動する（例えば、交点Ｑ”）。この場合には、変換曲線Ｌ２”により特に低明度側の明度Ｌがより低い明度Ｌ’に変換されることになる。このように、変換曲線Ｌ１，Ｌ２を用いた明度変換処理は、明度Ｌのヒストグラムのレンジを圧縮する色域圧縮処理となることがわかる。そして、例えば、画像の背景などに色のグラデーションがあって一律にドロップアウトしたい場合には、感度パラメータＴｓを高く設定することで低明度側の明度Ｌが高明度側の明度Ｌ’に変換されるから、背景の画素の明度を均一な明度に変換することができる。これにより、背景の画素を一律にドロップアウトすることができる。また、画像中の文字をドロップアウトさせたくない場合には、同じ色相であっても文字は背景より低明度であることが多いから、感度パラメータＴｓを低く設定することで文字のある低明度側の明度Ｌをより低明度側の明度Ｌ’に変換することができる。これにより、画像中の文字をドロップアウトさせずに残すことができる。このような感度パラメータＴｓの調整を、各色相範囲毎に設定可能なものとしたから、ドロップアウト処理の対象色毎に、ユーザーの所望するドロップアウト効果を与えることができる。
【００３６】
こうして明度変換処理を行なうと、色空間の逆変換処理を行なう（ステップＳ５３０）。この逆変換処理は、明度変換処理後の明度Ｌ’と彩度Ｃ，色相Ｈとから次式（７）〜（９）によりＹＣｂＣｒ表色系（Ｙ’Ｃｂ’Ｃｒ’）に変換し、変換したＹ’Ｃｂ’Ｃｒ’を次式（１０）〜（１２）によりＲＧＢ表色系（Ｒ’Ｇ’Ｂ’）に変換することにより行なわれる。
【００３７】
Y'＝L'  (7)
Cb'＝C×sin（H×π／180）  (8)
Cr'＝C×cos（H×π／180）  (9)
R'＝Y'＋1.402Cr'  (10)
G'＝Y'−0.344Cb'−0.714Cr'  (11)
B'＝Y'＋1.773Cb'  (12)
【００３８】
こうして色空間の逆変換処理を行なうと、色相範囲ＨＲｎに対応付けて登録された強度パラメータＴｄを読み込む（ステップＳ５４０）。次に、読み込んだ強度パラメータＴｄに基づいて変換行列の係数を調整し調整した変換行列を用いて色変換処理を行なう（ステップＳ５５０）。ここでは、まず、次式（１３）に示す調整用行列（dIntensity）に強度パラメータＴｄを入力して調整用行列（dIntensity）の値を定める。次に、次式（１４）により調整用行列（dIntensity）を後述する基準係数ｄ１，ｄ２，ｄ３に乗じて変換行列の各係数ｄ１’，ｄ２’，ｄ３’を算出する。そして、次式（１５）により、ステップＳ５３０の逆変換処理で得られたＲ’Ｇ’Ｂ’に変換行列を乗じてＲ”Ｇ”Ｂ”を得る。このようにしてステップＳ５５０の色変換処理が行なわれ、この処理で得られたＲ”Ｇ”Ｂ”は、上述したドロップアウト処理ルーチンのステップＳ１５０のグレースケール化処理に用いられる。
【００３９】
【数１】
0005640550.tif 000002
【００４０】
ここで、色変換用の基準係数ｄ１，ｄ２，ｄ３の一例を図９に示す。図示するように、各色に応じて基準係数ｄ１，ｄ２，ｄ３の値が定められている。例えば、赤や桃の場合には、基準係数ｄ１が値１に定められ基準係数ｄ２，ｄ３が値０に定められている。赤や桃の場合にはもとよりＲ（Ｒ’）の値が高いため、上述した式（１３）〜（１５）から、Ｒ（Ｒ’）の高い値をより反映させた色変換処理が行なわれることがわかる。即ち、グレースケール化されたときの階調値がより高くなるよう係数値が定められている。また、他の色についても同様に定められている。一方、調整用行列（dIntensity）についても、強度パラメータＴｄが大きくなるほどより高い階調値が得られるように変換行列の係数ｄ１’，ｄ２’，ｄ３’を導き出す行列となっている。このため、強度パラメータＴｄを大きくするほどグレースケール化処理された画素の階調値が一律に高くされてドロップアウトされやすくなる。このような強度パラメータＴｄの調整を、各色相範囲毎に設定可能なものとしたから、ドロップアウト処理の対象色毎に、ユーザーの所望するドロップアウト効果を一律に与えることができる。ここで、色相範囲ＨＲｎが主にどの色を示すものであるかは、例えば色相範囲ＨＲｎの中央値と各色の代表的な色相範囲の中央値とを比較して最も近い色に定めるなど、色相の値を用いて定めることができるため、色相範囲ＨＲｎが示す色に応じて図９の基準係数ｄ１，ｄ２，ｄ３を選択するものなどとすればよい。
【００４１】
ここで、本実施形態の構成要素と本発明の構成要素との対応関係を明らかにする。本実施形態のドライバー２５ａを読み出してドロップアウト色設定画面６０を表示部２７に表示するＣＰＵ２２が本発明の「受付画面表示手段」に相当し、ラジオボタン６５ａ〜６５ｅの操作に伴ってドロップアウト色設定画面６０の調整欄６５の表示を切り替えるＣＰＵ２２が「表示切替手段」に相当し、ドロップアウト色設定画面６０の調整欄６５における色相バー６８上のスライダー６９や感度用スライドバー７１，強度用スライドバー７２の各種設定を受け付けるＣＰＵ２２が「設定受付手段」に相当する。
【００４２】
以上詳述した本実施形態のスキャンシステム１０によれば、ドロップアウト色設定画面６０の調整欄６５には、連続的に変化する色相が帯状に表示される色相バー６８および複数の対象色の色相範囲を設定する複数のスライダー６９がレイアウトされ、また、複数の対象色の指定を切り替えて指定色番号１〜５に対応するラジオボタン６５ａ〜ｅと感度を設定するための感度用スライドバー７１と強度を設定するための強度用スライドバー７２とが色相バー６８の長手方向に直交する方向の領域にレイアウトされている。そして、ラジオボタン６５ａ〜ｅの切り替えに伴って、指定色番号に対応するスライダー６９を色相範囲ＨＲの設定が可能となるようアクティブ表示に切り替えると共に残りの指定色番号に対応するスライダー６９を非アクティブ表示に切り替えて、指定色番号に対応する色相範囲ＨＲの設定を受け付ける。また、感度用スライドバー７１や強度用スライドバー７２を介して感度パラメータＴｓや強度パラメータＴｄの設定を受け付け、受け付けた設定を色相範囲ＨＲに従属させて登録する。これにより、複数の対象色の色相範囲ＨＲの設定と各色相範囲ＨＲに従属する感度パラメータＴｓや強度パラメータＴｄの設定とをドロップアウト色設定画面６０の調整欄６５を介して受け付けることができる。また、色相が帯状に表示された色相バー６８を用いるから、複数の対象色を指定する場合の調整欄６５に必要とされるスペースを小さくすることができる。この結果、ドロップアウト色設定画面６０の大型化を防止しつつドロップアウト処理の複数の対象色の設定を操作性よく受け付けることができる。
【００４３】
なお、本発明は上述した実施態様に何ら限定されることはなく、本発明の技術的範囲に属する限り種々の態様で実施し得ることはいうまでもない。
【００４４】
上述した実施形態では、ドロップアウト色設定画面６０の調整欄６５における色相バー６８を長手方向が左右方向になるようレイアウトするものとしたが、これに限られず、長手方向が上下方向になるようレイアウトするものとしてもよい。
【００４５】
上述した実施形態では、ドロップアウト色設定画面６０の調整欄６５における色相バー６８上に非アクティブ表示でスライダー６９を表示するものとしたが、これに限られず、アクティブ表示とされるスライダー６９以外は非表示とするものとしてもよい。
【００４６】
上述した実施形態では、ＣＰＵ２２がドロップアウト機能を有するドライバー２５ａを読み出してドロップアウト処理を伴ってスキャン処理するものとしたが、これに限られるものではなく、ドロップアウト機能を有するアプリケーションソフトを読み出して処理を行なうものとしてもよい。あるいは、ドロップアウト機能がプリンター３０に組み込まれ、このプリンター３０のコントローラー３１がドロップアウト機能を読み出して処理を行なうものとしてもよい。その場合、ドロップアウト色設定画面６０をプリンター３０の表示部に表示するものなどとすればよい。
【００４７】
上述した実施形態では、ドロップアウト色設定画面６０において感度や強度を調整できるものとしたが、これに限られず、他のパラメータを調整できるものとしてもよい。あるいは、そのようなパラメータの調整を受け付けないものとしてもよい。その場合、ドロップアウト処理においては、例えば、ドロップアウト対象に設定された画素の画素値を単に白画素の画素値や背景画素の画素値に置換するものなどとしてもよい。
【００４８】
上述した実施形態では、ドロップアウト処理を行なう場合を例示したが、色強調処理を行なう場合に適用するものとしてもよい。また、出力画像としてグレーやモノクロを出力する場合を例示したが、カラーの画像を出力する場合に適用するものとしてもよい。
【００４９】
上述した実施形態では、プリンター機構３２やスキャナー機構３３を備える複合機としてのプリンター３０を例として説明したが、プリンター機構３２を備えずにスキャナー機構のみを備えるスキャナー単体機であってもよい。また、上述した実施形態では、インクジェット方式のプリンター機構３２を例として説明したが、レーザー方式のプリンター機構であってもよい。さらに、上述した実施形態では、原稿に向かって発光したあとの反射光をレッド（Ｒ），グリーン（Ｇ），ブルー（Ｂ）の各色に分解したＲＧＢデータをスキャン画像とする周知のカラーイメージセンサーを備えるスキャナー機構３３を例として説明したが、レッド（Ｒ），グリーン（Ｇ），ブルー（Ｂ）の各色の光源およびモノクロイメージセンサーを備えるＣＩＳ（コンタクトイメージセンサー）方式のスキャナー機構であってもよい。
【符号の説明】
【００５０】
１０  スキャンシステム、１２  ＵＳＢケーブル、２０  ユーザーコンピューター（ユーザーＰＣ）、２１  コントローラー、２２  ＣＰＵ、２３  ＲＯＭ、２４  ＲＡＭ、２５  ハードディスクドライブ（ＨＤＤ）、２５ａ  ドライバー、２６  操作部、２７  表示部、２９  バス、３０  プリンター、３１  コントローラー、３２  印刷機構、３３  スキャナー機構、４０  画質調整画面、４１  出力設定欄、４２ａ，４２ｂ，４２ｃ  ラジオボタン、４３  リストボックス、４５  画質調整欄、４６ａ，４６ｂ  ラジオボタン、４７ａ，４７ｂ  リストボックス、４８  明るさ用スライドバー、４８ａ，４９ａ  数値ボックス、４９  コントラスト用スライドバー、５０  ボタン群、５１  プレビューボタン、５２  本スキャンボタン、５３  ヘルプボタン、５４  環境設定ボタン、５５  閉じるボタン、６０  ドロップアウト色設定画面、６１  設定登録欄、６２  リストボックス、６３  保存ボタン、６４  削除ボタン、６５  調整欄、６５ａ，６５ｂ，６５ｃ，６５ｄ，６５ｅ  ラジオボタン、６６  追加ボタン、６７  削除ボタン、６８  色相バー、６９，６９ａ，６９ｂ，６９ｃ  スライダー、７０ａ，７０ｂ  数値ボックス、７１  感度用スライドバー、７１ａ，７２ａ  数値ボックス、７２  強度用スライドバー、７３  リセットボタン、７５  抽出欄、７６  プレビュー領域、７７  抽出アイコン、７８  拡大表示領域、７８ａ  抽出位置、８０  ボタン群、８１  チェックボックス、８２  ヘルプボタン、８３  閉じるボタン、ＨＲ１，ＨＲ２，ＨＲ３  色相範囲、Ｌ１，Ｌ１’，Ｌ１”，Ｌ２，Ｌ２’，Ｌ２”  変換曲線、Ｐ  プレビュー画像、Ｑ，Ｑ’，Ｑ”  交点、Ｓ  用紙。
【図１】
0005640550.tif 000003
【図２】
0005640550.tif 000004
【図５】
0005640550.tif 000005
【図６】
0005640550.tif 000006
【図７】
0005640550.tif 000007
【図８】
0005640550.tif 000008
【図９】
0005640550.tif 000009
【図３】
0005640550.tif 000010
【図４】
0005640550.tif 000011